(57)【要約】  ユーザに有意な死角の検出対象物だけを通知する可能性を高めること可能な技術を提供することを目的とする。制御部３は、情報取得部２で取得された第１車両の経路情報と、第１車両の現在位置情報と、第１及び第２車両の検出対象物情報とに基づいて、第１車両で検出されずに第２車両で検出された検出対象物のうち、第１車両が走行する死角地点において第１車両の走行に影響すると判定された検出対象物を、走行影響対象物として第１車両にて通知部４に通知させる。
2016016922.tif 000002
【特許請求の範囲】
【請求項１】
通知部を用いて車両の走行を支援する走行支援システムであって、
第１車両の経路情報と、前記第１車両の現在位置情報と、前記第１車両及び第２車両がそれぞれ検出した各々の周囲の検出対象物に関する検出対象物情報と、を取得する情報取得部と、
前記情報取得部で取得された前記第１車両の前記経路情報と、前記第１車両の前記現在位置情報と、前記第１及び前記第２車両の前記検出対象物情報とに基づいて、前記第１車両で検出されずに前記第２車両で検出された前記検出対象物のうち、前記第１車両が走行する死角地点において前記第１車両の走行に影響すると判定された検出対象物を、走行影響対象物として前記第１車両にて前記通知部に通知させる制御部と
を備える、走行支援システム。
【請求項２】
請求項１に記載の走行支援システムであって、
前記制御部は、
前記第１車両の前記現在位置情報に基づいて、前記第１車両の現在位置が、前記第１車両が直近に走行する前記死角地点から予め定められた第１距離よりも離れている場合に、前記走行影響対象物を前記通知部から通知させない、走行支援システム。
【請求項３】
請求項２に記載の走行支援システムであって、
前記情報取得部は、前記第１車両の速度情報をさらに取得し、
前記第１距離は、前記第１車両の前記速度情報に基づいて決定される、走行支援システム。
【請求項４】
請求項１に記載の走行支援システムであって、
前記検出対象物情報は、前記検出対象物の現在位置情報を含み、
前記制御部は、
前記検出対象物の前記現在位置情報に基づいて、前記第１車両が直近に走行する前記死角地点から予め定められた第２距離よりも離れている前記走行影響対象物を、前記通知部から通知させない、走行支援システム。
【請求項５】
請求項４に記載の走行支援システムであって、
前記検出対象物は移動体を含み、
前記検出対象物情報は、前記移動体の速度情報をさらに含み、
前記第２距離は、前記走行影響対象物である前記移動体の速度情報に基づいて決定される、走行支援システム。
【請求項６】
請求項１に記載の走行支援システムであって、
前記検出対象物は移動体を含み、
前記検出対象物情報は、前記移動体の現在位置情報を含み、
前記制御部は、
前記死角地点に信号機が設置されている場合に、前記第１車両と前記死角地点において同時に走行しない前記走行影響対象物である前記移動体を、前記通知部から通知させない、走行支援システム。
【請求項７】
通知部を用いて車両の走行を支援する走行支援方法であって、
第１車両の経路情報と、前記第１車両の現在位置情報と、前記第１車両及び第２車両がそれぞれ検出した各々の周囲の検出対象物に関する検出対象物情報と、を取得し、
当該取得された前記第１の前記経路情報と、前記第１車両の前記現在位置情報と、前記第１及び前記第２車両の前記検出対象物情報とに基づいて、前記第１車両で検出されずに前記第２車両で検出された前記検出対象物のうち、前記第１車両が走行する死角地点において前記第１車両の走行に影響すると判定された検出対象物を、走行影響対象物として前記第１車両にて前記通知部に通知させる、走行支援方法。
【発明の詳細な説明】
【技術分野】
【０００１】
本発明は、通知部を用いて車両の走行を支援する走行支援システム及び走行支援方法に関する。
【背景技術】
【０００２】
近年、車両の衝突予知等のために、自車に搭載したカメラ等の撮像装置や、ミリ波レーダを用いて、自車の前方の障害物を検出する種々の障害物検出装置が提案されている。さらに、この障害物検出装置が検出した同情報を、車車間通信を利用して他車から受信することにより、自車から見て死角に位置する可能性がある車両などの検出対象物（以下「死角の検出対象物」と記す）の情報を取得する技術が提案されている。【０００３】
例えば特許文献１に記載の装置では、自車の位置、車速ベクトル、及びウインカの操作等に基づいて自車の進路を推定し、自車の進路と、死角の検出対象物の情報とに基づいて、自車と死角の検出対象物との衝突危険度を判定し、衝突危険度が高いと判定した場合に、自車の運転者に注意喚起、または自車の衝突回避動作を通知する。
【先行技術文献】
【特許文献】
【０００４】
【特許文献１】特開２００８−２９３０９９号公報
【発明の概要】
【発明が解決しようとする課題】
【０００５】
しかしながら、特許文献１の技術では、自車の進路に関してあらゆる死角の検出対象物を、自車の運転者に通知する。この結果、運転者などのユーザに有意でない死角の検出対象物も多く通知することから、ユーザは必要以上に死角の検出対象物に対して注意しなければならず、運転者に負担がかかるものとなっていた。【０００６】
そこで、本発明は、上記のような問題点を鑑みてなされたものであり、ユーザに有意な死角の検出対象物だけを通知する可能性を高めることが可能な技術を提供することを目的とする。
【課題を解決するための手段】
【０００７】
本発明に係る走行支援システムは、通知部を用いて車両の走行を支援する走行支援システムであって、第１車両の経路情報と、第１車両の現在位置情報と、第１車両及び第２車両がそれぞれ検出した各々の周囲の検出対象物に関する検出対象物情報と、を取得する情報取得部と、情報取得部で取得された第１車両の経路情報と、第１車両の現在位置情報と、第１及び第２車両の検出対象物情報とに基づいて、第１車両で検出されずに第２車両で検出された検出対象物のうち、第１車両が走行する死角地点において第１車両の走行に影響すると判定された検出対象物を、走行影響対象物として第１車両にて通知部に通知させる制御部とを備える。【０００８】
また、本発明に係る走行支援方法は、通知部を用いて車両の走行を支援する走行支援方法であって、第１車両の経路情報と、第１車両の現在位置情報と、第１車両及び第２車両がそれぞれ検出した各々の周囲の検出対象物に関する検出対象物情報と、を取得し、当該取得された第１の経路情報と、第１車両の現在位置情報と、第１及び第２車両の検出対象物情報とに基づいて、第１車両で検出されずに第２車両で検出された検出対象物のうち、第１車両が走行する死角地点において第１車両の走行に影響すると判定された検出対象物を、走行影響対象物として第１車両にて通知部に通知させる。
【発明の効果】
【０００９】
本発明によれば、第１車両で検出されずに第２車両で検出された検出対象物のうち、死角地点において第１車両の走行に影響する検出対象物を、第１車両にて通知する。これにより、第１車両のユーザに有意な検出対象物だけを通知する可能性を高めることができるので、ユーザの負担を軽減することができる。【００１０】
本発明の目的、特徴、態様及び利点は、以下の詳細な説明と添付図面とによって、より明白となる。
【図面の簡単な説明】
【００１１】
【図１】実施の形態１に係るナビゲーション装置の主要な構成を示すブロック図である。
【図２】実施の形態１に係るナビゲーション装置の構成を示すブロック図である。
【図３】実施の形態１に係るナビゲーション装置の動作を示すフローチャートである。
【図４】実施の形態１に係るナビゲーション装置の動作例１を説明するための図である。
【図５】実施の形態１に係るナビゲーション装置の動作例２を説明するための図である。
【図６】実施の形態１に係るナビゲーション装置の動作例３を説明するための図である。
【図７】実施の形態２に係るナビゲーション装置の動作を示すフローチャートである。
【図８】実施の形態２に係るナビゲーション装置の動作例を説明するための図である。
【図９】実施の形態３に係るナビゲーション装置の動作を示すフローチャートである。
【図１０】実施の形態３に係るナビゲーション装置の動作例を説明するための図である。
【図１１】実施の形態４に係るナビゲーション装置の動作を示すフローチャートである。
【図１２】実施の形態４に係るナビゲーション装置の動作例を説明するための図である。
【図１３】その他の変形例に係るサーバの主要な構成を示すブロック図である。
【図１４】その他の変形例に係る通信端末の主要な構成を示すブロック図である。
【発明を実施するための形態】
【００１２】
＜実施の形態１＞
以下においては、本発明に係る走行支援システムが、車両に搭載可能なナビゲーション装置単体に適用された場合を例にして説明する。図１は、実施の形態１に係るナビゲーション装置１の主要な構成を示すブロック図である。
【００１３】
以下、図１のナビゲーション装置１は複数の車両に搭載されているものとし、このうちの１台の車両に着目して説明する。そして、以下の説明では着目する１台の車両（第１車両）を「自車」と記し、それ以外の車両（第２車両）を「他車」と記す。なお、自車のナビゲーション装置１の構成及び動作について説明するが、他車のナビゲーション装置１の構成及び動作も同様である。
【００１４】
図１のナビゲーション装置１は、情報取得部２と、制御部３と、通知部４とを備えており、通知部４を用いて自車の走行を支援することが可能となっている。通知部４は、例えば表示装置及びスピーカの少なくともいずれか１つから構成され、表示及び音声出力の少なくともいずれか１つを用いて運転者などのユーザに、自車の走行を支援することが可能な各種情報を通知する。なお、図１の構成では、通知部４は、ナビゲーション装置１に備えられているが、これに限ったものではなく、ナビゲーション装置１に備えられずに、他の装置（例えば後述する通信端末など）に備えられてもよい。
【００１５】
情報取得部２は、自車が走行する予定の経路（自車の経路）を示す経路情報と、自車の現在位置情報と、自車で検出した自車の周囲の検出対象物に関する検出対象物情報とを取得するとともに、他車で検出した他車の周囲の検出対象物に関する検出対象物情報を取得する。以下、自車の周囲の検出対象物に関する検出対象物情報を「自車検出対象物情報」と記し、他車の周囲の検出対象物に関する検出対象物情報を「他車検出対象物情報」と記して説明する。
【００１６】
ここで、経路情報が示す自車の経路には、例えば、ナビゲーション装置１で案内されている経路などが適用される。
【００１７】
自車の周囲には、例えば、自車を中心とし、検出機能により検出可能な最大距離を半径とする円形状の範囲、または、その一部の扇形状の範囲などが含まれる。他車の周囲も、自車の周囲と同様である。
【００１８】
検出対象物には、例えば、自動車、自転車、歩行者などの移動体、または、工事の看板などの非移動体が含まれる。
【００１９】
また、自車検出対象物情報には、例えば、自車の周囲の検出対象物の現在位置の情報が含まれ、他車検出対象物情報には、例えば、他車の周囲の検出対象物の現在位置の情報が含まれる。自車の周囲の検出対象物が移動体である場合には、自車検出対象物情報に、自車の周囲の検出対象物の速度情報（例えば速度ベクトルなど）がさらに含まれてもよい。同様に、他車の周囲の検出対象物が移動体である場合には、他車検出対象物情報に、他車の周囲の検出対象物の速度情報がさらに含まれてもよい。
【００２０】
制御部３は、例えばナビゲーション装置１の図示しないＣＰＵ（Central Processing Unit）などが、ナビゲーション装置１の図示しない半導体メモリなどの記憶装置に記憶されたプログラムを実行することにより、当該ＣＰＵの機能として実現される。
【００２１】
制御部３は、情報取得部２で取得された自車の経路情報と、自車の現在位置情報と、自車検出対象物情報及び他車検出対象物情報とに基づいて、自車で検出されずに他車で検出された検出対象物のうち、自車が走行する死角地点において自車の走行に影響すると判定された検出対象物を、走行影響対象物として自車にて通知部４に通知させる。
【００２２】
ここで、自車で検出されずに他車で検出された検出対象物には、自車は除かれるものとする。このような検出対象物は、自車から見て死角に位置する可能性がある死角の検出対象物に相当する。そこで、以下では、自車で検出されずに他車で検出された検出対象物と、死角の検出対象物とは同じであるものとして説明する。
【００２３】
上述の死角地点には、例えばユーザやメーカにより死角の検出対象物の存在が想定される地点が予め設定される。このような地点としては、例えば交差点、駐車場の出入口地点、目的地の出入口地点、道路の合流地点、Ｔ字路地点、道路のカーブ地点、及び減速する頻度が高い地点などの少なくともいずれか１つの地点、または、当該地点とその近傍の部分（例えば歩道）との組み合わせなどが想定される。
【００２４】
上述の判定（検出対象物が、死角地点において自車の走行に影響するか否かの判定）の基準としては、例えば、経路情報に示される自車の経路が死角地点において検出対象物の位置を通過するか否か、自車の経路が死角地点において検出対象物が移動する経路と交差するか否か、自車の経路が死角地点において検出対象物が移動する経路と重なるか否かなどが適用される。以下、経路情報に示される自車の経路が、死角地点において検出対象物の位置を通過したり、死角地点において検出対象物が移動する経路と交差したり、重なったりする場合に、これら検出対象物が、死角地点において自車の走行に影響すると判定されるものとして説明するが、これに限ったものではない。なお、検出対象物が移動する経路は、例えば、検出対象物情報に含まれる検出対象物の現在位置及び速度情報に基づいて算出される。
【００２５】
上述の判定は、ナビゲーション装置１で行われてもよいし、自車の経路情報と、自車の現在位置情報と、自車及び他車の検出対象物情報とがナビゲーション装置１の外部の装置に与えられることにより、当該装置で行われてもよい。
【００２６】
以上のような本実施の形態１に係るナビゲーション装置１によれば、死角地点という特に注意を要する地点において自車の走行に影響する死角の検出対象物を、自車にて通知する。これにより、自車のユーザに有意な死角の検出対象物だけを通知する可能性を高めることができるので、自車のユーザの負担を軽減することができる。
【００２７】
次に、ナビゲーション装置１の主要な構成要素だけでなく、付加的な構成要素についても説明する。ただし、以下の内容は、上述の内容の一例を説明したものであり、本発明は以下の内容に限ったものではない。
【００２８】
図２は、本実施の形態１に係るナビゲーション装置１の主要な構成及び付加的な構成を示すブロック図である。
【００２９】
図２のナビゲーション装置１は、上述の情報取得部２、制御部３、及び通知部４に加えて、入力部５と、地図データ蓄積部６と、経路案内部７とを備えている。ナビゲーション装置１のこれら構成要素は、制御部３によって統括的に制御される。
【００３０】
情報取得部２は、自車の現在位置を検出（取得）する現在位置検出部２１と、経路を算出（取得）する経路算出部２３と、他車と無線通信を行うことにより他車検出対象物情報を受信（取得）する無線通信部２５と、自車検出対象物情報を検出（取得）する周囲情報検出部２７及び外界センサ２８とを備えている。情報取得部２の各構成要素の詳細については、後で適宜説明する。
【００３１】
通知部４は、表示部４ａと、画像制御部４ｂと、音声出力部４ｃと、音声制御部４ｄとを備えている。
【００３２】
画像制御部４ｂは、制御部３から出力された地図画像及び案内画像を含む画像データに基づいて、ディスプレイなどから構成される表示部４ａに地図画像及び案内画像などの画像を表示させる。同様に、音声制御部４ｄは、制御部３から出力された案内音声及び警告音などを含む音声データに基づいて、スピーカなどから構成される音声出力部４ｃに案内音声及び警告音などの音声を出力させる。ナビゲーション装置１は、以上のように構成された通知部４の通知（表示及び音声出力）を制御することが可能となっており、当該通知を用いて自車の走行を支援することが可能となっている。
【００３３】
入力部５は、例えば、押しボタン装置、または、タッチパネルなどから構成されており、自車が到着すべき目的地を特定可能な目的地情報などをユーザから受け付ける。なお、入力部５がタッチパネルで構成される場合は、表示部４ａと一体化して構成されてもよい。入力部５は、例えば、ユーザの操作に応じて表示部４ａにスクロール表示される地図上の地点をユーザから受け付けた場合には、当該地点を目的地として受け付け、住所または電話番号をユーザから受け付けた場合には、当該住所または電話番号を目的地情報として受け付ける。
【００３４】
地図データ蓄積部６は、例えばハードディスクドライブ（ＨＤＤ）、ＲＡＭ（Random Access Memory）などの記憶装置から構成されており、地図データを記憶（蓄積）している。なお、この地図データ蓄積部６は、ナビゲーション装置１の外部から地図データを取得して記憶するように構成されてもよい。例えば、地図データ蓄積部６は、地図データを、外部装置からネットワークを介してダウンロードすることにより記憶してもよいし、または、ＤＶＤ（Digital Versatile Disk）−ＲＯＭ（Read Only Memory）、Ｂｌｕ−Ｒａｙ（登録商標）Ｄｉｓｃ−ＲＯＭなどの記録媒体から読み出すことにより記憶してもよい。
【００３５】
現在位置検出部２１は、ＧＰＳ（Global Positioning System）受信部２１ａ、方位検出部２１ｂ及びパルス検出部２１ｃと接続されている。ＧＰＳ受信部２１ａは、ＧＰＳ衛星からのＧＰＳ信号を受信し、当該ＧＰＳ信号に基づいて、自車の現在位置（例えば緯度・経度の座標）を検出する。方位検出部２１ｂは、例えばジャイロセンサ及び方位センサから構成されており、自車の走行方向（例えば方位）を検出する。パルス検出部２１ｃは、自車の車軸の単位時間当たりの回転数に応じたパルス信号を検出し、当該パルス信号に基づいて自車の走行速度及び走行距離を検出する。
【００３６】
以上のように構成された現在位置検出部２１は、ＧＰＳ受信部２１ａで受信された現在位置を、方位検出部２１ｂ及びパルス検出部２１ｃで検出した車両移動データ（自車の走行方向、走行速度及び走行距離）に基づいて補正することにより、自車の正確な現在位置を検出することが可能となっている。
【００３７】
経路算出部２３は、現在位置検出部２１で検出された自車の現在位置などの出発地と、入力部５にてユーザから受け付けた目的地と、地図データ蓄積部６に記憶されている地図データとに基づいて、地図上における出発地から目的地までの経路を算出する。算出される経路としては、例えば、走行時間が短い経路（時間優先経路）、走行距離が短い経路（距離優先経路）、燃料が少ない経路（燃料優先経路）、有料道路をなるべく走行する経路（有料優先経路）、一般道路をなるべく走行する経路（一般優先経路）、並びに、時間、距離及び費用のバランスが良い経路（標準経路）などが挙げられる。
【００３８】
経路案内部７は、経路算出部２３で算出された経路のうち、入力部５などを介してユーザが選択した経路（以下「走行予定経路」と記す）を記憶する。経路案内部７は、走行予定経路における自車の現在位置に基づいて通知部４の通知を制御することにより、ユーザを走行予定経路に沿って現在位置から目的地まで案内する。なお、ここでは、上述の経路情報は、走行予定経路（経路算出部２３で算出された経路）を示すものとする。
【００３９】
無線通信部２５は、受信アンテナ２５ａと、他車から送信された各種情報を当該受信アンテナ２５ａを介して受信する受信部２５ｂと、送信アンテナ２５ｃと、他車に送信すべき各種情報を当該送信アンテナ２５ｃを介して送信する送信部２５ｄとを備えている。本実施の形態１では、無線通信部２５は、通信が届く範囲に位置する他車（自車近傍の他車）との間で直接的に各種情報を送受信する車車間通信を行うように構成されている。無線通信部２５が、車車間通信を行うように構成された場合には、新たな通信インフラの整備が不要となる。ただし、これに限ったものではなく、無線通信部２５は、携帯通信網や、路車間通信を行うように構成されてもよい。
【００４０】
以上のように構成された無線通信部２５は、車車間通信により、他車検出対象物情報を他車から受信するとともに、自車検出対象物情報を他車に送信する。
【００４１】
周囲情報検出部２７は、外界センサ２８が接続されており、外界センサ２８で検出された自車の周囲の情報から、検出対象物情報を抽出（検出）する。
【００４２】
外界センサ２８は、例えば可視光領域や赤外線領域にて撮影可能なカメラ２８ａ及び画像処理部２８ｂと、例えばレーザ光やミリ波等のレーダ２８ｃ及びレーダ制御部２８ｄとを備えている。
【００４３】
カメラ２８ａは、例えば自車のフロントウィンドウの車室内側でルームミラー近傍の位置に配設され、フロントウィンドウ越しに自車の走行方向前方の予め定められた検知範囲の外界を撮影する。なお、カメラ２８ａには、例えば、ＣＣＤ（Charge Coupled Device）カメラやＣＭＯＳ（Complementary Metal Oxide Semiconductor）カメラ等が適用される。画像処理部２８ｂは、カメラ２８ａの撮像により得られた画像に対して、例えばフィルタリングや二値化処理等の予め定められた画像処理を行い、二次元配列の画素からなる画像データを生成して周囲情報検出部２７に出力する。
【００４４】
レーダ２８ｃは、例えば自車のボディのノーズ部や車室内のフロントウィンドウ近傍等に配設され、レーダ制御部２８ｄの制御により、レーザ光やミリ波等の発信信号を適宜の検知方向（例えば自車の走行方向前方等）に向けて発信する。また、レーダ２８ｃは、発信信号が自車の外部の物体によって反射されることで生じた反射信号を受信し、反射信号と発信信号とを混合することによってビート信号を生成して周囲情報検出部２７に出力する。レーダ制御部２８ｄは、周囲情報検出部２７からレーダ制御部２８ｄに入力される制御指令に応じてレーダ２８ｃを制御する。
【００４５】
周囲情報検出部２７は、例えば、画像データに、予め定められた移動体または非移動体の画像が含まれるか否かを判定することにより、画像データに検出対象物の画像が含まれるか否かを判定する。周囲情報検出部２７は、画像データに当該画像が含まれると判定した場合に、画像データの全画像における基準位置（例えば全画像の水平方向における中央の位置）と検出対象物との間の第１距離を算出するとともに、レーダ２８ｃで生成されたビート信号に基づいて、検出対象物と自車との間の第２距離を算出する。周囲情報検出部２７は、第１距離及び第２距離に基づいて、水平方向における自車の位置に対する検出対象物の相対位置（例えば緯度・経度の座標）を算出する。それから、周囲情報検出部２７は、算出した相対位置と、現在位置検出部２１で検出された自車の現在位置とに基づいて、検出対象物の現在位置を算出（検出）する。
【００４６】
また、周囲情報検出部２７は、検出対象物が移動体であると判定した場合に、検出対象物の現在位置の時間変化を求めることにより、検出対象物の速度ベクトルなどの速度情報を算出（検出）する。
【００４７】
＜動作＞
図３は、本実施の形態１に係る自車のナビゲーション装置１の動作を示すフローチャートである。この動作は、ナビゲーション装置１の制御部３を構成するＣＰＵが、ナビゲーション装置１の記憶装置に記憶されているプログラムを実行することにより実現される。次に、図３のフローチャートを用いて、自車のナビゲーション装置１の動作について説明する。
【００４８】
まず、ステップＳ１にて、制御部３は、周囲情報検出部２７に、自車検出対象物情報を検出させる。
【００４９】
ステップＳ２にて、制御部３は、無線通信部２５（受信部２５ｂ）が、その通信範囲内で、他車から他車検出対象物情報を受信したか否かを判定する。受信したと判定した場合にはステップＳ３に進み、受信していないと判定した場合にはステップＳ８に進む。
【００５０】
ステップＳ３にて、制御部３は、自車検出対象物情報と他車検出対象物情報とを比較し、他車検出対象物情報に含まれるが自車検出対象物情報に含まれない検出対象物（死角の検出対象物）の情報を、死角情報として検出（抽出）する処理を開始する。
【００５１】
ステップＳ４にて、制御部３は、ステップＳ３で死角情報を検出したか否かを判定する。死角情報を検出したと判定した場合にはステップＳ５に進み、検出していないと判定した場合にはステップＳ８に進む。
【００５２】
ステップＳ５にて、制御部３は、経路算出部２３が経路をすでに算出しているか否かを判定する。例えば、制御部３は、経路案内部７による走行予定経路に沿った経路案内が行われている場合には経路が算出されていると判定し、当該経路案内が行われていない場合には経路が算出されていないと判定する。ステップＳ５にて、経路が算出されていると判定した場合にはステップＳ６に進み、算出されていないと判定した場合にはステップＳ８に進む。
【００５３】
ステップＳ６にて、制御部３は、走行予定経路（経路算出部２３で算出された経路）と、ステップＳ４にて検出したと判定された死角情報と、地図データ蓄積部６に記憶されている地図データとに基づいて、自車が走行する死角地点において、自車の走行に影響する死角の検出対象物が存在するか否かを判定する。当該死角の検出対象物が存在すると判定した場合にはステップＳ７に進み、存在しないと判定した場合にはステップＳ８に進む。
【００５４】
ステップＳ７にて、制御部３は、ステップＳ６で自車の走行に影響を与える死角の検出対象物を走行影響対象物として通知部４に通知させる。例えば、制御部３は、走行影響対象物の現在位置及び移動方向（速度ベクトルの方向）を通知部４にて強調して表示させたり、通知部４から音声出力させたりする。これにより、死角地点における走行影響対象物の位置及び移動方向が、自車の通知部４により通知（表示及び音声出力）される。その後、ステップＳ８に進む。
【００５５】
ステップＳ８にて、制御部３は、通知部４による走行影響対象物の通知を停止する操作を入力部５で受け付けたか否かを判定する。当該操作を入力部５で受け付けたと判定した場合には通知部４による走行影響対象物の通知を停止するとともに図３に示す動作を終了する。一方、当該操作を受け付けていないと判定した場合にはステップＳ１に戻る。
【００５６】
＜動作例１＞
図４は、図３のフローチャートに示した動作の一例を説明するための図である。
【００５７】
図４には、自車１０１と、自車１０１の走行予定経路１０１ａと、自車１０１の外界センサ２８の検出範囲１０１ｂとが示されている。また、図４には、他車１２１，１２２，１２３，２２１，２２２，２２３と、それらの移動方向１２１ａ，１２２ａ，１２３ａ，２２１ａ，２２２ａ，２２３ａと、他車１２１，１２２，２２１，２２２の外界センサ２８の検出範囲１２１ｂ，１２２ｂ，２２１ｂ，２２２ｂとが示されている。
【００５８】
さらに、図４には、歩行者１２４と、歩行者の移動方向１２４ａと、交差点１００，２００と、自車１０１周辺の地図とが示されている。自車１０１の走行予定経路１０１ａは、図４の太い矢印で示されており、交差点１００を左折する経路となっている。なお、図４では、自車１０１が走行する死角地点は、交差点１００及びその歩道となっている。
【００５９】
以下、図４に示す位置関係について、図３のフローチャートに示した動作を説明する。
【００６０】
（ステップＳ１）
自車１０１のナビゲーション装置１は、外界センサ２８の検出範囲１０１ｂ内の検出対象物を検出して、自車検出対象物情報を検出する。図４に示す位置関係の場合、自車１０１の検出対象物は以下の通りである。
【００６１】
自車１０１の検出対象物：他車１２２，１２３
（ステップＳ２）
自車１０１のナビゲーション装置１は、他車１２１，１２２，２２１，２２２から他車検出対象物情報を受信する。図４に示す位置関係の場合、当該他車検出対象物情報に示される他車１２１，１２２，２２１，２２２の検出対象物は、以下の通りである。
【００６２】
他車１２１の検出対象物：他車１２２，歩行者１２４
他車１２２の検出対象物：他車１２１，１２３
他車２２１の検出対象物：他車２２２
他車２２２の検出対象物：他車２２１，２２３
（ステップＳ３）
自車１０１のナビゲーション装置１は、ステップＳ１で検出した自車１０１の検出対象物と、ステップＳ２で検出した他車１２１，１２２，２２１，２２２の検出対象物とを比較する。他車検出対象物情報に含まれ、かつ自車検出対象物情報に含まれない検出対象物（他車１２１，２２１，２２２，２２３、歩行者１２４）の情報を、自車１０１における死角情報として検出する。
【００６３】
（ステップＳ４）
図４の例では、ステップＳ３にて死角情報が検出されるのでステップＳ５に進む。
【００６４】
（ステップＳ５）
自車１０１のナビゲーション装置１は、自車１０１のユーザに対して走行予定経路に沿って目的地までの案内を行っているか否かを判定する。図４の例では、交差点１００を左折する走行予定経路１０１ａを案内しているのでステップＳ６に進む。
【００６５】
（ステップＳ６）
自車１０１のナビゲーション装置１は、自車１０１が走行する死角地点（交差点１００及びその歩道）において、ステップＳ３で検出された検出対象物（他車１２１，２２１，２２２，２２３、歩行者１２４）のうち、自車１０１の走行に影響する検出対象物が存在するか否かを判定する。
【００６６】
自車１０１の走行予定経路１０１ａは、交差点１００において、他車１２１が移動する経路（他車１２１の現在位置及び移動方向１２１ａに基づいて算出される経路）と重なることから、他車１２１は自車１０１の走行に影響すると判定される。また、自車１０１の走行予定経路１０１ａは、交差点１００の歩道において、歩行者１２４が移動する経路と交差することから、歩行者１２４は自車１０１の走行に影響すると判定される。
【００６７】
自車１０１の走行予定経路１０１ａは、交差点１００または歩道において、他車２２１，２２２，２２３が移動する経路と交差したり、重なったりしないことから、他車２２１，２２２，２２３は自車１０１の走行に影響しないと判定される。
【００６８】
（ステップＳ７）
自車１０１のナビゲーション装置１は、ステップＳ３で検出された検出対象物（他車１２１，２２１，２２２，２２３、歩行者１２４）のうち、ステップＳ６で自車１０１の走行に影響すると判定された他車１２１及び歩行者１２４を、走行影響対象物として通知部４から通知することにより、それらの存在を注意喚起する。
【００６９】
（ステップＳ８）
ユーザが注意喚起の必要性に応じて、通知停止の操作を自車１０１のナビゲーション装置１に対して行わない限り、ステップＳ１に戻り再度前記動作を繰り返す。
【００７０】
＜動作例２＞
図５は、図３のフローチャートに示した動作の別例を説明するための図である。図５の位置関係は、図４の位置関係と同じである。また、図５では、自車１０１の走行予定経路１０１ａは、交差点１００を右折する経路となっており、自車１０１が走行する死角地点は、交差点１００及びその歩道となっている。
【００７１】
図５に示す位置関係の場合、ステップＳ１〜Ｓ５まで動作例１と同様の動作が行われる。
【００７２】
そして、自車１０１の走行予定経路１０１ａは、交差点１００において、他車１２１，２２３が移動する経路と交差することから、ステップＳ６にて他車１２１，２２３は自車１０１の走行に影響すると判定される。一方、これら以外のステップＳ３で検出された検出対象物は、自車１０１の走行に影響しないと判定される。
【００７３】
この結果、ステップＳ７にて、自車１０１のナビゲーション装置１は、他車１２１，２２３を、走行影響対象物として通知部４から通知する。
【００７４】
＜動作例３＞
図６は、図３のフローチャートに示した動作の別例を説明するための図である。図６の位置関係は、図４の位置関係と同じである。また、図６では、自車１０１の走行予定経路１０１ａは、交差点１００を直進する経路となっており、自車１０１が走行する死角地点は、交差点１００，２００及びその歩道となっている。
【００７５】
図６に示す位置関係の場合、ステップＳ１〜Ｓ５まで動作例１と同様の動作が行われる。
【００７６】
そして、自車１０１の走行予定経路１０１ａは、交差点１００において、他車１２１が移動する経路と交差し、交差点２００において、他車２２１，２２２が移動する経路と交差することから、ステップＳ６にて他車１２１，２２１，２２２は自車１０１の走行に影響すると判定される。一方、これら以外のステップＳ３で検出された検出対象物は、自車１０１の走行に影響しないと判定される。
【００７７】
この結果、ステップＳ７にて、自車１０１のナビゲーション装置１は、他車１２１，２２１，２２２を、走行影響対象物として通知部４から通知する。
【００７８】
＜効果＞
以上のような本実施の形態１に係るナビゲーション装置１によれば、自車１０１が走行する死角地点において、自車１０１の走行に影響する死角の検出対象物が、走行影響対象物として通知部４により通知される。したがって、自車１０１の走行に影響する可能性が低い死角の検出対象物については注意喚起の通知をせずに、当該可能性が高い死角の検出対象物について当該通知をすることができる。したがって、自車１０１のユーザの負担を軽減することができる。
【００７９】
また、他車の走行予定経路を用いなくても上述の動作を行うことができるので、他車が走行予定経路を算出していなかったり、送信していなかったりする場合にも、上述の効果を得ることができる。また、ナビゲーション装置１を搭載していない車両、歩行者及び自転車など、その他の障害となり得る検出対象物を、走行影響対象物として通知することができる。さらに、受信アンテナ２５ａまたは送信アンテナ２５ｃに指向性アンテナなどを用いても上述の効果を得ることができ、汎用的なアンテナを用いても上述の効果を得ることができる。
【００８０】
＜変形例＞
以上の説明では、自車１０１のナビゲーション装置１は、走行予定経路の情報を他車のナビゲーション装置１に送信せず、また、他車のナビゲーション装置１からの走行予定経路の情報を受信しなかったが、これに限ったものではない。
【００８１】
例えば、図４の例において、他車１２１のナビゲーション装置１が、他車１２１の運転者に対して目的地までの案内を行っており、他車１２１が交差点１００において直進するように案内していたとする。このような場合には、他車１２１のナビゲーション装置１は、他車１２１の外界センサ２８が検出した他車検出対象物情報を送信するだけでなく、他車１２１の現在位置と、直近に走行する交差点１００の移動方向（図４では直進）である走行予定とを含む走行予定情報も送信してもよい。自車１０１のナビゲーション装置１も同様である。このように構成した場合には、検出対象物が、死角地点において自車１０１の走行に影響するか否かの判定において、当該判定の精度の向上化が期待できる。
【００８２】
なお、上述の走行予定は、直近に走行する交差点１００の移動方向を示す代わりに、直近に右折または左折する方向と、当該直近に右折または左折する地点（直近に走行する地点でなくてもよい）とを示してもよい。
【００８３】
図６を用いた上述の説明では、他車１２１，２２１，２２２を、走行影響対象物として通知部４から通知した。しかしこれに限ったものではなく、後述する実施の形態２のように、自車１０１が直近に走行する交差点１００から遠い他車２２１，２２２については、走行影響対象物として通知部４から通知しないように構成してもよい。
【００８４】
図６では、他車１２１，２２１，２２２の位置を示す図形（ここでは自動車の形状を示す略四角形）と、移動方向１２１ａ，２２１ａ，２２２ａを示す矢印とをそれぞれ重畳する表示例を示したが、表示形態はこれに限ったものではない。このことは、図４及び図５においても同様である。
【００８５】
以上の説明では、周囲情報検出部２７は、第１距離及び第２距離という２つの検出値から、水平方向における自車１０１の位置に対する検出対象物の相対位置、すなわち二次元座標に対応する２つの未知数の値を求めた。しかしこれに限ったものではなく、自車１０１及び検出対象物の位置に関する２つの検出値から上述の相対位置を求めることが可能である。例えば、周囲情報検出部２７は、レーダ２８ｃの検知方向及び第２距離という検出値から、上述の相対位置を求めてもよい。
【００８６】
また、ナビゲーション装置１の構成要素のうち、現在位置検出部２１、経路算出部２３、周囲情報検出部２７、及び経路案内部７は、それぞれ一対一で設けられたＣＰＵがプログラムをそれぞれ実行することによって実現されてもよいし、一つのＣＰＵがプログラムを実行することによって実現されてもよい。
【００８７】
なお、上述した変形例は、実施の形態１だけでなく、以下で説明する実施の形態２〜４に適用されてもよい。
【００８８】
＜実施の形態２＞
本発明の実施の形態２に係るナビゲーション装置１では、制御部３は、自車１０１の現在位置情報に基づいて、自車１０１の現在位置が、自車１０１が直近に走行する死角地点から予め定められた第１距離よりも離れている場合には、走行影響対象物を通知部４から通知させないように構成されている。また、制御部３は、検出対象物情報に含まれる検出対象物の現在位置情報に基づいて、自車１０１が直近に走行する死角地点から予め定められた第２距離よりも離れている走行影響対象物を、通知部４から通知させないように構成されている。その他の構成及び動作は、実施の形態１と同様であるため、ここでは説明を省略する。
【００８９】
＜動作＞
図７は、本実施の形態２に係る自車１０１のナビゲーション装置１の動作を示すフローチャートであり、図８は当該動作の一例を説明するための図である。
【００９０】
図７に示されるフローチャートは、図３に示したフローチャートのステップＳ５及びＳ６の間に、ステップＳ１１及びＳ１２を追加したものである。このため、以下においては、ステップＳ１１及びＳ１２について主に説明する。
【００９１】
ステップＳ１１にて、制御部３は、経路情報（走行予定経路）と、現在位置検出部２１が検出した現在位置と、地図データ蓄積部６に記憶されている地図データとに基づいて、自車１０１と、自車１０１が直近に走行する死角地点との間の距離を算出する。
【００９２】
そして、制御部３は、算出した距離が予め定められた第１距離よりも離れているか否かを判定する。なお、第１距離には、例えば３０ｍ〜１１０ｍのいずれかの値が適用される。
【００９３】
算出した距離が第１距離以下である場合には、制御部３は自車１０１が直近の死角地点から第１距離よりも離れていないと判定してステップＳ１２に進む。算出した距離が第１距離を超えている場合には、制御部３は自車１０１が直近の死角地点から第１距離よりも離れていると判定してステップＳ８に進む。
【００９４】
図８には、実施の形態１の図４と同じ位置関係が示されており、交差点１００の中心を基準とし、かつ第１距離Ｒ８１を半径とする円形状の範囲８１の一部の境界線が、一点鎖線で示されている。
【００９５】
図８の例では、交差点１００は、自車１０１が直近に走行する死角地点であり、交差点２００は、自車１０１が直近に走行する死角地点ではない。このため、制御部３は、交差点１００に係る範囲８１内に自車１０１が位置する場合には、自車１０１が直近の死角地点である交差点１００から第１距離Ｒ８１よりも離れていないと判定し、そうでない場合には、自車１０１が直近の死角地点である交差点１００から第１距離Ｒ８１よりも離れていると判定する。
【００９６】
図８の例では、自車１０１は範囲８１内に位置することから、ステップＳ１２に進むことになる。
【００９７】
ステップＳ１２にて、制御部３は、経路情報（走行予定経路）と、他車から受信した他車検出対象物情報に含まれる検出対象物の現在位置と、地図データ蓄積部６に記憶されている地図データと、ステップＳ３の検出結果とに基づいて、死角の検出対象物と、自車１０１が直近に走行する死角地点との間の距離を算出する。なお、自車１０１が他車の走行予定を受信できた場合には、走行予定に含まれる他車の現在位置を用いて、当該距離を算出してもよい。
【００９８】
そして、制御部３は、算出した距離が予め定められた第２距離よりも離れているか否かを判定する。なお、第２距離には、例えば３０ｍ〜１１０ｍのいずれかの値が適用される。第２距離は、第１距離と同じであってもよいし異なっていてもよい。また、第２距離は、死角地点から放射状に延設された道路ごとに異なってもよい。
【００９９】
算出した距離が第２距離以下である場合には、制御部３は死角の検出対象物が直近の死角地点から第２距離よりも離れていないと判定してステップＳ６に進む。算出した距離が第２距離を超えている場合には、制御部３は死角の検出対象物が直近の死角地点から第２距離よりも離れていると判定してステップＳ８に進む。
【０１００】
図８には、交差点１００の中心を基準とし、かつ第２距離Ｒ８２を半径とする円形状の範囲８２の一部の境界線が、二点鎖線で示されている。
【０１０１】
図８の例では、交差点１００は、自車１０１が直近に走行する死角地点であり、交差点２００は、自車１０１が直近に走行する死角地点ではない。このため、制御部３は、交差点１００に係る範囲８２内に死角の検出対象物が位置する場合には、死角の検出対象物が直近の死角地点である交差点１００から第２距離Ｒ８２よりも離れていないと判定し、そうでない場合には、死角の検出対象物が直近の死角地点である交差点１００から第２距離Ｒ８２よりも離れていると判定する。
【０１０２】
図８の例では、死角の検出対象物は、他車１２１，２２１，２２２，２２３及び歩行者１２４であり、これらのうち他車１２１が範囲８２内に位置することから、ステップＳ６に進むことになる。この結果、実施の形態１では図４の位置関係の場合に、他車１２１及び歩行者１２４を走行影響対象物として通知したが、本実施の形態２では図４の位置関係と同じ図８の位置関係の場合に、歩行者１２４を走行影響対象物として通知せずに、他車１２１を走行影響対象物として通知する。
【０１０３】
＜効果＞
実施の形態１に係るナビゲーション装置１では、死角地点において自車１０１の走行に影響する死角の検出対象物を、走行影響対象物として通知した。そして、この通知は、当該通知の対象となる死角地点が、自車１０１が直近に走行する死角地点であるか否かによらずに行われ、また、自車１０１と死角地点との間の距離によらずに行われた。しかしながら、自車１０１の現在位置が、自車１０１が直近に走行する死角地点から遠く離れている場合、将来、当該死角地点における死角の検出対象物が自車１０１の走行に影響する可能性があるにしても、現時点では自車１０１の走行に影響する可能性は高くないと考えられる。
【０１０４】
これに対して本実施の形態２に係るナビゲーション装置１では、自車１０１が、直近に走行する死角地点から第１距離Ｒ８１よりも離れている場合に、走行影響対象物である死角の検出対象物を通知部４から通知させない。これにより、自車１０１の走行に有意な死角の検出対象物だけについて注意喚起の通知をする可能性をより高めることができるので、自車１０１のユーザの負担をさらに軽減することができる。
【０１０５】
また、実施の形態１の通知は、当該通知の対象となる死角地点が、自車１０１が直近に走行する死角地点であるか否かによらずに行われ、また、死角の検出対象物と死角地点との間の距離によらずに行われた。しかしながら、死角の検出対象物の現在位置が、自車１０１が直近に走行する死角地点から遠く離れている場合、現時点では当該死角の検出対象物が自車１０１の走行に影響する可能性は高くないと考えられる。
【０１０６】
これに対して本実施の形態２では、走行影響対象物である死角の検出対象物が、直近に走行する死角地点から第２距離Ｒ８２よりも離れている場合に、当該死角の検出対象物を通知部４から通知させない。これにより、自車１０１の走行に有意な死角の検出対象物だけについて、注意喚起の通知をする可能性をより高めることができるので、自車１０１のユーザの負担をさらに軽減することができる。
【０１０７】
＜実施の形態３＞
本発明の実施の形態３に係るナビゲーション装置１では、実施の形態２で説明した第１距離が自車１０１の速度情報に基づいて決定され、実施の形態２で説明した第２距離が移動体である走行影響対象物の速度情報に基づいて決定されるように構成されている。その他の構成及び動作は、実施の形態２と同様であるため、ここでは説明を省略する。
【０１０８】
＜動作＞
図９は、本実施の形態３に係る自車１０１のナビゲーション装置１の動作を示すフローチャートであり、図１０は当該動作の一例を説明するための図である。
【０１０９】
図９に示されるフローチャートは、図７に示したフローチャートのステップＳ５及びＳ１１の間に、ステップＳ２１を追加したものである。このため、以下においては、ステップＳ２１について主に説明する。
【０１１０】
ステップＳ２１にて、制御部３は、パルス検出部２１ｃ（図２）で検出した自車１０１の走行速度（速度情報）に基づいて、ステップＳ１１で閾値として用いる第１距離を変更する。図１０の例の場合、制御部３は、自車１０１の走行速度が小さくなるにつれて第１距離Ｒ８１を小さくし、自車１０１の走行速度が大きくなるにつれて第１距離Ｒ８１を大きくする。
【０１１１】
また、制御部３は、他車検出対象物情報に含まれる速度ベクトルが示す移動速度（走行影響対象物である移動体の速度情報）に基づいて、ステップＳ１２で閾値として用いる第２距離を変更する。図１０の例では、他車１２１，１２２，１２３に対して第２距離Ｒ８２が個別に第２距離Ｒ８２１，Ｒ８２２，Ｒ８２３として規定されている。なお、歩行者１２４に対しても個別に第２距離Ｒ８２が規定されるが、他車１２１，１２２，１２３と同様であるためここでは説明を省略する。
【０１１２】
図１０の例の場合、制御部３は、他車１２１，１２２，１２３の移動速度が小さくなるにつれて第２距離Ｒ８２１，Ｒ８２２，Ｒ８２３をそれぞれ小さくし、他車１２１，１２２，１２３の移動速度が大きくなるにつれて第２距離Ｒ８２１，Ｒ８２２，Ｒ８２３をそれぞれ大きくする。
【０１１３】
なお、ここでは、第１距離Ｒ８１及び第２距離Ｒ８２１，Ｒ８２２，Ｒ８２３として、車両の速度に応じて変化する公知の停止距離（空走距離＋制動距離）に、マージンの距離（例えば１０ｍ）を加えた距離を適用する。
【０１１４】
以上のステップＳ２１が終了した後、ステップＳ１１に進んで実施の形態２と同様の動作が行われる。
【０１１５】
＜効果＞
以上のような本実施の形態３に係るナビゲーション装置１では、自車１０１の走行速度が小さい場合には、自車１０１が死角地点に進入するのに要する進入時間が長くなることを考慮して、第１距離Ｒ８１を短くすることにより、走行影響対象物の通知を開始するタイミングを遅らせることができる。逆に自車１０１の走行速度が大きい場合には、進入時間が短くなることを考慮して第１距離Ｒ８１を長くすることにより、走行影響対象物の通知を開始するタイミングを早めることができる。すなわち、自車１０１の走行速度に応じて、通知される走行影響対象物を絞り込むことができる。これにより、自車１０１の走行に有意な死角の検出対象物だけについて、注意喚起の通知をする可能性をより高めることができるので、自車１０１のユーザの負担をさらに軽減することができる。
【０１１６】
また、本実施の形態３では、走行影響対象物（死角の検出対象物）の移動速度が小さい場合には、走行影響対象物が死角地点に進入するのに要する進入時間が長くなることを考慮して、第２距離Ｒ８２を短くすることにより、当該走行影響対象物の通知を開始するタイミングを遅らせることができる。逆に、走行影響対象物の移動速度が大きい場合には、進入時間が短くなることを考慮して第２距離Ｒ８２を長くすることにより、当該走行影響対象物の通知を開始するタイミングを早めることができる。すなわち、走行影響対象物の走行速度に応じて、通知される走行影響対象物を絞り込むことができる。これにより、自車１０１の走行に有意な死角の検出対象物だけについて、注意喚起の通知をする可能性をより高めることができるので、自車１０１のユーザの負担をさらに軽減することができる。
【０１１７】
＜変形例＞
以上の説明では、第１及び第２距離に、公知の停止距離にマージンの距離を加えた距離を適用した。しかしこれに限ったものではなく、第１及び第２距離に、自車及び死角の検出対象物の速度の比例式から算出される距離を適用してもよいし、それら速度とテーブルで対応付けられた距離を適用してもよい。また、必要以上に第１及び第２距離が長くなると、通知される走行影響対象物の数も多くなる。そこで、第１及び第２距離に上限値を設けてもよい。
【０１１８】
＜実施の形態４＞
本発明の実施の形態４に係るナビゲーション装置１では、制御部３は、死角地点に信号機が設置されている場合に、自車１０１と死角地点において同時に走行しない走行影響対象物である移動体を、通知部４から通知させないように構成されている。なお、地図データ蓄積部６に記憶されている地図データには、死角地点において信号機の設置の有無を示す信号機有無情報が含まれるものとする。その他の構成及び動作は、実施の形態１と同様であるため、ここでは説明を省略する。
【０１１９】
＜動作＞
図１１は、本実施の形態４に係る自車１０１のナビゲーション装置１の動作を示すフローチャートであり、図１２は当該動作の一例を説明するための図である。
【０１２０】
図１１に示されるフローチャートは、図３に示したフローチャートのステップＳ５及びＳ６の間に、ステップＳ３１，Ｓ３２，Ｓ３３を追加したものである。このため、以下においては、ステップＳ３１〜Ｓ３３について主に説明する。なお、以下の説明では、死角地点は交差点であるものとして説明するが、これに限ったものではない。
【０１２１】
ステップＳ３１にて、制御部３は、走行予定経路（経路算出部２３で算出された経路）と、ステップＳ４にて検出したと判定された死角情報と、地図データ蓄積部６に記憶されている地図データとに基づいて、自車１０１が走行する交差点に信号機が設置されているか否かを判定する。信号機が設置されていると判定した場合にはステップＳ３２に進み、信号機が設置されていないと判定した場合にはステップＳ６に進む。
【０１２２】
ステップＳ３２にて、制御部３は、死角の検出対象物が交差点に進入する方向を判定する。ここでは、制御部３は、他車検出対象物情報に含まれる速度情報（速度ベクトル）に基づいて、交差点に進入する方向を判定する。
【０１２３】
ステップＳ３３にて、制御部３は、走行予定経路とステップＳ３２の判定結果とに基づいて、死角の検出対象物が自車１０１の走行方向に対して左右方向から交差点に進入するか否かを判定する。左右方向から交差点に進入する場合にはステップＳ８に進み、左右方向から交差点に進入しない場合にはステップＳ６に進む。なお、信号機つきの交差点で、自車１０１の走行方向に対して左右方向から交差点に進入する死角の検出対象物は、自車１０１と交差点において同時に走行しない死角の検出対象物に相当する。
【０１２４】
図１２には、自車１０１と、自車１０１の走行予定経路１０１ａと、他車１２０，１２１，１２２，１３０，１３１と、それらの移動方向１２０ａ，１２１ａ，１２２ａ，１３０ａ，１３１ａとが示されている。
【０１２５】
図１２の例では、交差点１００（自車１０１が走行する死角地点）に信号機１６１が設置されており、走行影響対象物（死角の検出対象物）は、他車１２０，１２２である。この場合において、制御部３は、自車１０１と交差点１００において同時に走行しない他車１２２を、通知部４から通知させない。
【０１２６】
＜効果＞
実施の形態１に係るナビゲーション装置１では、死角地点において自車１０１の走行に影響する死角の検出対象物を、走行影響対象物として通知した。そして、走行影響対象物の通知は、信号機１６１が設置された死角地点において、死角の検出対象物が自車１０１と同時に走行するか否かによらずに行われた。しかしながら、信号機１６１が設置された死角地点において自車１０１と同時に走行しない死角の検出対象物は、自車１０１の走行に影響する可能性は高くないと考えられる。
【０１２７】
そこで、本実施の形態４に係るナビゲーション装置１では、信号機１６１が設置された死角地点において自車１０１と同時に走行しない走行影響対象物（死角の検出対象物）を、通知部４から通知させない。これにより、自車１０１の走行に有意な死角の検出対象物だけについて、注意喚起の通知をする可能性をより高めることができるので、自車１０１のユーザの負担をさらに軽減することができる。
【０１２８】
＜その他の変形例＞
図１３は、本変形例に係るサーバ９１の主要な構成を示すブロック図である。図１３のサーバ９１は、これまでに説明した情報取得部２及び制御部３にそれぞれ対応する通信部９１ａ及び制御部９１ｂを備えている。また、図１３の第１車両９２及び第２車両９３には、ナビゲーション装置９２ａ及びナビゲーション装置９３ａがそれぞれ搭載されており、ナビゲーション装置９２ａは、これまでに説明した通知部４に対応する通知部９２ｂを備えている。
【０１２９】
通信部９１ａは、例えば、ナビゲーション装置９２ａ，９３ａと通信を行うことにより、第１車両９２の経路情報と、第１車両９２の現在位置情報と、第１及び第２車両９２，９３がそれぞれ検出した各々の周囲の検出対象物に関する検出対象物情報と、を受信（取得）する。
【０１３０】
制御部９１ｂは、例えばサーバ９１の図示しないＣＰＵなどが、サーバ９１の図示しない半導体メモリなどの記憶装置に記憶されたプログラムを実行することにより、当該ＣＰＵの機能として実現される。
【０１３１】
サーバ９１の制御部９１ｂは、通信部９１ａを介してナビゲーション装置９２ａの通知部９２ｂの通知を制御する。ここでは、制御部９１ｂは、通信部９１ａで受信した第１車両９２の経路情報と、第１車両９２の現在位置情報と、第１及び第２車両９２，９３の検出対象物情報とに基づいて、第１車両９２で検出されずに第２車両９３で検出された検出対象物のうち、第１車両９２が走行する死角地点において第１車両９２の走行に影響すると判定された検出対象物を、走行影響対象物として第１車両９２にて通知部９２ｂに通知させる。このように構成されたサーバ９１によれば、実施の形態１と同様の効果を得ることができる。
【０１３２】
図１４は、本変形例に係る通信端末９６の主要な構成を示すブロック図である。図１４の通信端末９６は、これまでに説明した情報取得部２及び制御部３にそれぞれ対応する通信部９６ａ及び制御部９６ｂを備えている。なお、通信端末９６には、例えば携帯電話機、スマートフォン、及びタブレットなどのパーソナルコンピュータなどの携帯端末が含まれる。また、図１４の第１車両９７及び第２車両９８には、ナビゲーション装置９７ａ及びナビゲーション装置９８ａがそれぞれ搭載されており、ナビゲーション装置９７ａは、これまでに説明した通知部４に対応する通知部９７ｂを備えている。
【０１３３】
通信部９６ａは、例えば、ナビゲーション装置９７ａ，９８ａと通信を行うことにより、第１車両９７の経路情報と、第１車両９７の現在位置情報と、第１及び第２車両９７，９８がそれぞれ検出した各々の周囲の検出対象物に関する検出対象物情報と、を受信（取得）する。
【０１３４】
制御部９６ｂは、例えば通信端末９６の図示しないＣＰＵなどが、通信端末９６の図示しない半導体メモリなどの記憶装置に記憶されたプログラムを実行することにより、当該ＣＰＵの機能として実現される。
【０１３５】
通信端末９６の制御部９６ｂは、通信部９６ａを介してナビゲーション装置９７ａの通知部９７ｂの通知を制御する。ここでは、制御部９６ｂは、通信部９６ａで受信した第１車両９７の経路情報と、第１車両９７の現在位置情報と、第１及び第２車両９７，９８の検出対象物情報とに基づいて、第１車両９７で検出されずに第２車両９８で検出された検出対象物のうち、第１車両９７が走行する死角地点において第１車両９７の走行に影響すると判定された検出対象物を、走行影響対象物として第１車両９７にて通知部９７ｂに通知させる。このように構成された通信端末９６によれば、実施の形態１と同様の効果を得ることができる。
【０１３６】
以上のように、これまでに説明したナビゲーション装置１は、車両に搭載可能なナビゲーション装置だけでなく、Portable Navigation Device、通信端末（例えば携帯電話、スマートフォン、及びタブレットなどの携帯端末）、及びこれらにインストールされるアプリケーションの機能、並びにサーバなどを適宜に組み合わせてシステムとして構築される走行支援システムにも適用することができる。この場合、以上で説明したナビゲーション装置１の各機能あるいは各構成要素は、前記システムを構築する各機器に分散して配置されてもよいし、いずれかの機器に集中して配置されてもよい。
【０１３７】
なお、本発明は、その発明の範囲内において、各実施の形態及び各変形例を自由に組み合わせたり、各実施の形態及び各変形例を適宜、変形、省略したりすることが可能である。
【０１３８】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１３９】
１  ナビゲーション装置、２  情報取得部、３，９１ｂ，９６ｂ  制御部、４，９２ｂ，９７ｂ  通知部、８１，８２  範囲、９１  サーバ、９１ａ，９６ａ  通信部、９２，９７  第１車両、９３，９８  第２車両、９６  通信端末、１００，２００  交差点、１０１  自車、１０１ａ  走行予定経路、１２０，１２１，１２２，１２３，１３０，１３１，２２１，２２２，２２３  他車、１２０ａ，１２１ａ，１２２ａ，１２３ａ，１３０ａ，１３１ａ，１２４ａ，２２１ａ，２２２ａ，２２３ａ  移動方向、１２４  歩行者、Ｒ８１  第１距離、Ｒ８２，Ｒ８２１，Ｒ８２２，Ｒ８２３  第２距離。
【図１】
2016016922.tif 000003
【図２】
2016016922.tif 000004
【図３】
2016016922.tif 000005
【図４】
2016016922.tif 000006
【図５】
2016016922.tif 000007
【図６】
2016016922.tif 000008
【図７】
2016016922.tif 000009
【図８】
2016016922.tif 000010
【図９】
2016016922.tif 000011
【図１０】
2016016922.tif 000012
【図１１】
2016016922.tif 000013
【図１２】
2016016922.tif 000014
【図１３】
2016016922.tif 000015
【図１４】
2016016922.tif 000016
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
通知部を用いて車両の走行を支援する走行支援システムであって、
第１車両が走行する予定の経路である走行予定経路を含む前記第１車両の経路情報と、前記第１車両の現在位置情報と、前記第１車両及び第２車両がそれぞれ検出した各々の周囲の検出対象物に関する検出対象物情報と、前記第２車両の走行予定情報と、を取得する情報取得部と、
前記情報取得部で取得された前記第１車両の前記経路情報と、前記第１車両の前記現在位置情報と、前記第１及び前記第２車両の前記検出対象物情報と、前記第２車両の走行予定情報とに基づいて、前記第１車両で検出されずに前記第２車両で検出された前記検出対象物のうち、前記第１車両が走行する前記走行予定経路上の死角地点において前記第１車両の走行に影響すると判定された検出対象物を、走行影響対象物として前記第１車両にて前記通知部に通知させる制御部と
を備える、走行支援システム。
【請求項２】
請求項１に記載の走行支援システムであって、
前記制御部は、
前記第１車両の前記現在位置情報に基づいて、前記第１車両の現在位置が、前記第１車両が直近に走行する前記走行予定経路上の前記死角地点から予め定められた第１距離よりも離れている場合に、前記走行影響対象物を前記通知部から通知させない、走行支援システム。
【請求項３】
請求項２に記載の走行支援システムであって、
前記情報取得部は、前記第１車両の速度情報をさらに取得し、
前記第１距離は、前記第１車両の前記速度情報に基づいて決定される、走行支援システム。
【請求項４】
請求項１に記載の走行支援システムであって、
前記検出対象物情報は、前記検出対象物の現在位置情報を含み、
前記制御部は、
前記検出対象物の前記現在位置情報に基づいて、前記第１車両が直近に走行する前記走行予定経路上の前記死角地点から予め定められた第２距離よりも離れている前記走行影響対象物を、前記通知部から通知させない、走行支援システム。
【請求項５】
請求項４に記載の走行支援システムであって、
前記検出対象物は移動体を含み、
前記検出対象物情報は、前記移動体の速度情報をさらに含み、
前記第２距離は、前記走行影響対象物である前記移動体の速度情報に基づいて決定される、走行支援システム。
【請求項６】
請求項１に記載の走行支援システムであって、
前記検出対象物は移動体を含み、
前記検出対象物情報は、前記移動体の現在位置情報を含み、
前記制御部は、
前記死角地点に信号機が設置されている場合に、前記第１車両と前記死角地点において同時に走行しない前記走行影響対象物である前記移動体を、前記通知部から通知させない、走行支援システム。
【請求項７】
通知部を用いて車両の走行を支援する走行支援方法であって、
第１車両が走行する予定の経路である走行予定経路を含む前記第１車両の経路情報と、前記第１車両の現在位置情報と、前記第１車両及び第２車両がそれぞれ検出した各々の周囲の検出対象物に関する検出対象物情報と、前記第２車両の走行予定情報と、を取得し、
当該取得された前記第１の前記経路情報と、前記第１車両の前記現在位置情報と、前記第１及び前記第２車両の前記検出対象物情報と、前記第２車両の走行予定情報とに基づいて、前記第１車両で検出されずに前記第２車両で検出された前記検出対象物のうち、前記第１車両が走行する前記走行予定経路上の死角地点において前記第１車両の走行に影響すると判定された検出対象物を、走行影響対象物として前記第１車両にて前記通知部に通知させる、走行支援方法。
【手続補正２】
【補正対象書類名】明細書
【補正対象項目名】０００７
【補正方法】変更
【補正の内容】
【０００７】
本発明に係る走行支援システムは、通知部を用いて車両の走行を支援する走行支援システムであって、第１車両が走行する予定の経路である走行予定経路を含む第１車両の経路情報と、第１車両の現在位置情報と、第１車両及び第２車両がそれぞれ検出した各々の周囲の検出対象物に関する検出対象物情報と、第２車両の走行予定情報と、を取得する情報取得部と、情報取得部で取得された第１車両の経路情報と、第１車両の現在位置情報と、第１及び第２車両の検出対象物情報と、第２車両の走行予定情報とに基づいて、第１車両で検出されずに第２車両で検出された検出対象物のうち、第１車両が走行する走行予定経路上の死角地点において第１車両の走行に影響すると判定された検出対象物を、走行影響対象物として第１車両にて通知部に通知させる制御部とを備える。
【手続補正３】
【補正対象書類名】明細書
【補正対象項目名】０００８
【補正方法】変更
【補正の内容】
【０００８】
また、本発明に係る走行支援方法は、通知部を用いて車両の走行を支援する走行支援方法であって、第１車両が走行する予定の経路である走行予定経路を含む第１車両の経路情報と、第１車両の現在位置情報と、第１車両及び第２車両がそれぞれ検出した各々の周囲の検出対象物に関する検出対象物情報と、第２車両の走行予定情報と、を取得し、当該取得された第１の経路情報と、第１車両の現在位置情報と、第１及び第２車両の検出対象物情報と、第２車両の走行予定情報とに基づいて、第１車両で検出されずに第２車両で検出された検出対象物のうち、第１車両が走行する走行予定経路上の死角地点において第１車両の走行に影響すると判定された検出対象物を、走行影響対象物として第１車両にて通知部に通知させる。
【国際調査報告】
2016016922.tif 000017
2016016922.tif 000018
2016016922.tif 000019
2016016922.tif 000020
2016016922.tif 000021